(57)【要約】【課題】  記録中に残容量としての記録可能時間を表示する。【解決手段】  記録媒体としてのディスクの状態を把握して、記録可能容量としての物理量を認識し、記録動作中には、現在の記録モードによるビットレートと前記記録可能容量の関係から、記録可能時間を演算する。【選択図】  図２
2005276273.tif 000002
【特許請求の範囲】
【請求項１】
記録媒体としてのディスクの状態を把握して、記録可能容量としての物理量を認識する、ディスクの認識手段と、
記録動作中には、現在の記録モードによるビットレートと前記記録可能容量との関係から、記録可能時間を演算し、出力する、記録可能時間演算手段と、
を備えることを特徴とする、デジタル記録再生装置。
【請求項２】
前記記録可能時間演算手段は、記録動作開始前にあっても、現在の記録動作モードのビットレートと前記記録可能容量との関係から、記録可能時間を演算し、出力するものとして構成されている、ことを特徴とする、請求項１に記載のデジタル記録再生装置。
【請求項３】
前記記録可能時間演算手段は、前記演算を１秒毎に行い、出力するものとして構成されている、ことを特徴とする、請求項１又は２に記載のデジタル記録再生装置。
【請求項４】
記録媒体としてのディスクの状態を把握して、記録可能容量としての物理量を認識し、
記録動作中には、現在の記録モードによるビットレートと前記記録可能容量の関係から、記録可能時間を演算する
ことを特徴とする、デジタル記録再生装置における記録可能時間演算方法。
【請求項５】
前記記録可能容量としての物理量の把握後であって、記録動作開始前に、現在の記録モードのビットレートによる記録可能時間を演算することを特徴とする、請求項４に記載のデジタル記録再生装置における記録可能時間演算方法。
【請求項６】
前記記録動作中には前記演算を１秒毎に行うことを特徴とする、請求項４又は５に記載のデジタル記録再生装置における記録可能時間演算方法。
【発明の詳細な説明】
【技術分野】
【０００１】
本発明は、デジタル記録再生装置及びそれにおける記録可能時間演算方法に関する。
【背景技術】
【０００２】
近年各種のデジタル記録再生装置が知られている。例えば、ＤＶＤレコーダ、ハードディスクドライブ（ＨＤＤ）あるいはＣＤレコーダ等がある。これらのレコーダ等においてＤＶＤ、ＨＤあるいはＣＤ等のメディア等に記録できる時間は記憶容量としての全物理記憶容量によって決まっている。ただし、全物理記憶容量の一部に記録した場合には、残りの部分が残物理記憶容量として残り、そこに追記することができる。そして、記録動作が停止した場合には、その都度メディア等にアクセスして残物理容量を把握し、その時点での記録モード（ビットレート）での記録可能時間が表示可能となる。これは、記録動作が終了すればメディアの残量物理量等の管理情報を更新するためである。しかしながら、記録動作中は、メディアへのアクセス手段がなく、残物理容量をリアルタイムで取得して残記録時間を表示することはできない。なお、ＨＤへの録画中に残り時間を算出し、残り時間が所定時間を割り込んだときには、古い番組を消去するものは知られているが、記録可能時間を演算、表示するものではない（特許文献１参照）。
【特許文献１】特開２００２−１１２１５０号公報
【発明の開示】
【発明が解決しようとする課題】
【０００３】
このように従来は、記録中は残物理容量との関係で、あるモード（ビットレート）での記録可能時間を演算、表示することができなかった。
【０００４】
本発明は、この難点を解消しようとするもので、記録動作中にあってもリアルタイムで記録可能時間を演算し、それを表示可能とすることを目的とするものである。
【課題を解決するための手段】
【０００５】
本発明は、記録媒体としてのディスクの状態を把握して、記録可能容量としての物理量を認識する、ディスクの認識手段と、
記録動作中には、記録モードによるビットレートと前記記録可能容量との関係から、今後の記録可能時間を演算し、出力する、記録可能時間演算手段と、
を備えるものとして構成される。
【０００６】
さらに、本発明は、記録媒体としてのディスクの状態を把握して、記録可能容量としての物理量を認識し、記録動作中には、記録モードによるビットレートと前記記録可能容量の関係から、記録可能時間を演算し、表示するものとして構成される。
【発明の効果】
【０００７】
このように、本発明によれば、記録動作中にあってもリアルタイムで記録可能時間を演算でき、それを表示させることができる。
【発明を実施するための最良の形態】
【０００８】
図１は本発明の実施例の装置及び表示手段のブロック図であり、図２はこの装置及び表示手段の動作を示すフローチャートである。この装置は、図１からわかるように、装置全体をコントロールするシステムコントローラ１を備える。このシステムコントローラ１によって録画手段２による録画がコントロールされる。ＤＶＤやＨＤ等の媒体の状態は、システムコントローラ１のコントロール下においてディスク認識手段３によって認識される。例えば、ディスク認識手段３がディスクにアクセスしてそのディスクの状態の１つとしての残物理容量が把握される。ここで録画が開始すると、開始時の残物理容量と録画モード（ビットレート）との関係から、システムコントローラ１が録画可能時間演算手段４に録画可能時間を演算させる。この演算は例えば１秒毎に割り込み処理として行われる。この処理の結果得られる録画可能時間は、システムコントローラ１により、外部の表示手段５に送られ、そこに１秒毎に更新表示される。
【０００９】
以上の動作を図２のフローチャートを参照して説明する。
【００１０】
本実施例の装置がスイッチオンにより動作可能な状態にあるとする。この場合において、ディスクの認識手段３は、ＨＤの各種の状態を認識する（Ｓ１）。ただし、ＤＶＤの場合には、ドライブに挿入された状態で、ディスクの状態が認識される（Ｓ１）。上記状態のひとつとして、残物理容量が把握される。ある録画モードを設定してあれば、あるいは、記録モードを変更すれば、その記録モードのビットレートとの関係で録画可能時間が録画可能時間演算手段４によって演算される。演算された録画可能時間は、前記システムコントローラ１のコントロール下で、データとして表示手段５に送出され、ここに表示される。ここで録画手段２が録画を開始すると（Ｓ３）、録画可能時間演算手段４が、先の録画可能時間から１秒毎に１秒を減算する演算を割り込み処理で行う。このようにして録画可能時間演算手段４によって、録画可能時間が演算される。１秒毎に減算される新たな録画可能時間は１秒毎に外部の表示手段５に出力され、更新表示される。これにより、録画中においても、録画を停止させることなく、その時点での今後の録画可能時間が１秒毎に更新表示される。
【００１１】
以上には、ＤＶＤを中心にして録画する場合について説明したが、本発明はデジタル記録再生装置であれば適用可能であり、たとえばＣＤ、ＭＤ等の音やその他のデータについての記録再生装置にも適用できるのはいうまでもない。
【図面の簡単な説明】
【００１２】
【図１】本発明の実施例の装置及び表示手段のブロック図。
【図２】図１の装置及び表示手段の動作の一例を示すフローチャート。
【符号の説明】
【００１３】
１  システムコントローラ
２  録画手段
３  ディスクの認識手段
４  録画可能時間演算手段
５  表示手段
【図１】
2005276273.tif 000003
【図２】
2005276273.tif 000004